(57)【要約】【課題】  支持構造体に、しっかりと固定することができ、様々なケーブル位置を確保することができ、多方向に束ねることを可能にするケーブル固定具を提供すること。【解決手段】  導管ベースの開口部内に取り付けられるボタン式固定デバイスであって、細長いケーブルなどだけでなく、導管構造仕切をもそこに固定するデバイス。このデバイスは、カップ形状の上部分、軸、およびロック羽根を含む。カップ形状の上部分は、導管仕切をスナップ式で取り付けるための周縁と、ケーブルを導管ベースに固定する結束ストラップを取り付けるためのストラップ通路とを有する。カップ形状の上部分から軸が延びて、これがロック羽根に至る。ロック羽根は、このデバイスを導管ベースに固定する。【選択図】  図１
2004263859.tif 000002
【特許請求の範囲】
【請求項１】
導管ベースの開口部内に取り付けられるボタン式固定デバイスにおいて、細長いケーブルなど、ならびに導管構造仕切をそこに固定するデバイスであって、
延在する周縁を画定する上面、対向する底面、および前記周縁から後退して前記上面と前記底面の間に延びる円筒状側壁を有するカップ形状の上部分であって、前記周縁が、前記導管構造仕切のスナップ式取付けを可能にし、前記側壁が、そこを通過するストラップ通路を有し、前記ストラップ通路が、前記ケーブルを導管ベースに固定するための結束ストラップを収容する、上部分と、
前記底面から下りて、前記導管ベースの前記開口部内に挿入される細長い軸と、
前記軸から延びて、前記上部分の前記底面から離間したロック羽根とを備えるデバイス。
【請求項２】
前記ロック羽根が、前記導管ベースの前記開口部内にロック係合するための傾斜付上面を有する、請求項１に記載のデバイス。
【請求項３】
前記側壁が、２対のストラップ通路を含み、ストラップ通路の各対が、互いに９０°偏位する、請求項１に記載のデバイス。
【請求項４】
前記ロック羽根が、細長い形状を有する、請求項１に記載のデバイス。
【請求項５】
前記細長い形状が、実質的に楕円である、請求項４に記載のデバイス。
【請求項６】
前記ボタン式固定デバイスが、高分子化合物から形成される、請求項１に記載のデバイス。
【請求項７】
前記ボタン式固定デバイスが、ポリカーボネートから形成される、請求項１に記載のデバイス。
【請求項８】
導管ベースの開口部内に取り付けられるボタン式固定デバイスにおいて、細長いケーブルなど、ならびに導管構造仕切をそこに固定するデバイスであって、
延在する周縁を画定する上面、対向する底面、および前記周縁から後退して前記上面と前記底面の間に延びる円筒状側壁を有するカップ形状の上部分であって、前記周縁が、前記導管構造仕切のスナップ式取付けを可能にし、前記側壁が、そこを通過するストラップ通路を有し、前記ストラップ通路が、前記ケーブルを導管ベースに固定するための結束ストラップを収容する、上部分と、
前記底面から下りて、前記導管ベースの前記開口部内に挿入される細長い軸であって、前記開口部の壁と係合するための摩擦係合表面を有する軸と、
前記軸から延び、前記上部分の前記底面から離間されるロック羽根とを備えるデバイス。
【請求項９】
前記側壁が、２対のストラップ通路を含み、ストラップ通路の各対が、互いに９０°偏位する、請求項８に記載のデバイス。
【請求項１０】
前記ロック羽根が、細長い形状を有する、請求項８に記載のデバイス。
【請求項１１】
前記ロック羽根が、前記導管ベースの前記開口部内にロック係合するための傾斜付上面を有する、請求項８に記載のデバイス。
【請求項１２】
前記ロック羽根が、平らな上面を有する、請求項８に記載のデバイス。
【請求項１３】
前記軸が、実質的に楕円の断面形状を有する、請求項８に記載のデバイス。
【請求項１４】
前記軸が、前記軸の前記楕円形状の湾曲したセクションにネジ山構造を有し、前記軸の前記楕円形状の直線セクションに滑らかな表面を有する、請求項１３に記載のデバイス。
【請求項１５】
前記軸の前記摩擦表面が、ネジ山の構成を備える、請求項８に記載のデバイス。
【請求項１６】
前記ボタン式固定デバイスが、高分子化合物から形成される、請求項８に記載のデバイス。
【請求項１７】
前記ボタン式固定デバイスが、ポリカーボネートから形成される、請求項８に記載のデバイス。
【発明の詳細な説明】
【技術分野】
【０００１】
本発明は、一般に、導管アセンブリまたは他の支持構造体内に、細長い部材、および仕切、プレート、分離壁、またはより小さな導管を固定するボタン式固定デバイスに関する。
【背景技術】
【０００２】
ケーブル固定具は、一般に、管路、ならびに機械、原動機付き車両、または他の用途で使用され、電気ケーブル、導線、導線束、ケーブルなどを固定することのできる取付け点を提供する。ケーブルがデバイスまたは他の構成要素の動作と干渉しないように、ケーブルを支持構造体に適切に固定することが望ましい。ケーブルまたは導線が可動構成要素に隣接して、または悪条件下で配置される場合には適切な固定が特に重要である。導線またはケーブルは、適切に拘束されないと、引っかかり、または絡まり、その結果、導線が磨耗し、または切断されることになる。導線またはケーブルのこのような損傷は、構成要素の故障や、おそらくはコストのかかるトラブルシューティングと修理を招く。
【０００３】
特定の設計は、空間制約によって、他の構成要素のためにクリアランスを設けるために、配線を、特定の場所に配置することが必要となる場合がある。しかし、前もって算定することの難しい様々な要因のために、ケーブルまたは配線ハーネスのまさに理想的な位置は、配線の構造物に対して最終的に組み上げた後で初めて判明する可能性がある。したがって、配線ハーネスを取り付けるために柔軟に配置することができる配線取付けデバイスを有することが望ましい。
【０００４】
ケーブル、導線、管、ホース、導体などの複数の細長い部材を搬送するために、プラスチックの導線導管またはケーブル導管を使用することが、当技術分野で知られている。ケーブル導管は、当技術分野で知られている通り、Ｕ字形断面の通路、および上蓋を含む。ケーブルは、導管にばらばらに通され、導管内で利用可能な空間量に影響を与える。ケーブル固定具は、ケーブルを圧縮し整理して、導管内の限られた利用可能な空間を効率的に利用し、より多くの導線のための追加の空間を提供するため、望ましいものである。
【０００５】
従来技術の導線固定具またはケーブル固定具には、構造部材にボルト締めされ、または固定されるデバイスが含まれる。そのようなデバイスは、ケーブル・タイまたはストラップが通過することのできる開口部も含む。このストラップは導線またはケーブルの周囲に巻き付けられ、それによって、導線を支持部材に固定することができる。このような固定具は、ケーブル導線を固定する一方向の手段を提供するものであり、通常、構造部材が通る方向でケーブルを固定することができるだけである。しかし、ケーブルの一部分を残りのケーブルから９０°で延ばしたいと望む場合でも、この固定具は、多方向で固定することができない。通常、ケーブルの束からケーブルの一部分が引き出され、所望の位置にばらばらに延びる。
【０００６】
空間の制約に加えて、ケーブルの分離、例えば、異なった電圧および／または機能を有する回路を分離することが必要となる場合がある。これはしばしば、導管内の分離壁で導管を仕切ることによって、またはより大きな導管内により小さな寸法の導管を取り付けることによって、達成される。従来技術の分離壁または仕切には、導管ベースおよび／もしくはカバーと一体である、またはそれに着脱可能に取り付けられたデバイスが含まれる。
【０００７】
一体に取り付けられる仕切の一例が、ＤｅＢａｒｔｏｌｏ，Ｊｒ．他の米国特許第６，０８４，１８０号に開示されている。この特許は、導体、ケーブル、導線、電力線、通信回線などを封入する多重路導管を開示している。この多重路導管は、ベースを２つの通路に仕切る仕切と一体に形成された内側壁と、両方の通路上に重なる外側壁とを備えた細長いベースを含む。この多重路導管は前もって作製され、通路の寸法または通路の数を調整することができない、導管内に予め形成された仕切を有する。
【０００８】
着脱可能に取り付けられた仕切は、仕切の配置に柔軟性をもたらすことによって、一体に取り付けられた仕切より汎用性を提供する。通常、着脱可能に取り付けられる仕切は、支持構造体内に予め形成された溝に係合することによって、支持構造体に取り付けられる。着脱可能な分離壁の一例が、米国特許第３，６９７，６６７号に開示されているが、ここで開示される通路は、長手方向に延びる溝を有し、この中に分離バーを配置することができ、それが、電気的に分離されたチャンバを通路内に形成する役目を果たす。このようなチャンバは、通路製作中に予め形成される溝によって、予め画定される。通常、溝は、導管の全長にわたる。チャンバの数、チャンバの寸法、さらに、例えば導管を斜めに跨ぐ、または導管中の交互の場所、または導管を横断するなど、仕切の方向に関して、柔軟性は制限される。さらに、着脱可能な仕切壁は、仕切壁の全長にわたって滑動可能に細長い溝と連結しなければならないので、それらを取り付け、取り外すことは困難である。
【０００９】
仕切壁の一代替形態として、ｈｔｔｐ：／／ｗｗｗ．ｉｂｏｃｏ．ｃｏｍ／ｍｏｕｎｔｉｎｇ−ｉｎｓｅｒｔｓ．ｈｔｍ（ＩＢＯＣＯ  ＺＰ１  ｍｏｕｎｔｉｎｇ  ｉｎｓｅｒｔｓ）で見られるように、より大きな通路内に取り付けられるより小さな通路がある。３つの部分からなる取付けシステムを使用して、より広い通路内に、より小さな通路が取り付けられる。ＺＰ１は、通路内の予め形成された細長い溝の全体に沿って、仕切壁を係合させることに関連付けられる問題を解消するが、ＺＰ１取付け補強材は、より小さな通路を取り付けるために、多数の連結用部片を必要とする。支持構造体に２つの連結部片を取り付けてから、より小さな通路を取り付け、第３の連結部片を取り付けなければならない。多数の取付け部片によって、仕切壁の取付けが複雑になり、その時間が増大する。さらに、仕切壁またはケーブル固定連結具を取り付ける時に、異なった連結部片を使用しなければならない。
【特許文献１】米国特許第６，０８４，１８０号
【特許文献２】米国特許第３，６９７，６６７号
【発明の開示】
【発明が解決しようとする課題】
【００１０】
したがって、支持構造体に、しっかりと固定することができ、様々なケーブル位置を確保することができ、多方向に束ねることが可能になるケーブル固定具を提供することが望ましい。さらに、同一のケーブル固定具を使用して、様々な位置に仕切壁を取り付けて、通路内に多数のチャンバを設けることが望ましい。さらに、簡単で、効率良く取り付けることができるケーブル固定具と、仕切壁の取付けおよびケーブルの固定のいずれにも、組み合わせて、または単独で使用することのできる単一の連結部片を提供することが望ましい。
【００１１】
［目的］
本発明の目的は、導管ベースなどの支持構造体に固定される、多方向で束ねることを可能にするボタン式固定デバイスを提供することにある。さらに、本発明のボタン式固定デバイスは、ケーブルを支持構造体に固定するための導管仕切および／または結束ストラップを取り付けるのに使用することができる。
【課題を解決するための手段】
【００１２】
本発明のボタン式固定デバイスは、導管ベースの開口部内に取り付けるものである。このデバイスは、カップ形状の上部分、軸、およびロック羽根を含む。カップ形状の上部分は、延在する周縁を画定する上面と、対向する底面と、周縁から後退し、上面・底面間に延びる円筒状側壁とを有する。この周縁は、導管仕切のスナップ式取付けを可能にし、側壁は、そこを通過するストラップ通路を有し、これが、ケーブルを導管ベースに固定するための結束ストラップを収容する。カップ形状の上部分の底面から軸が下りて、これが導管ベースの開口部内に挿入される。カップ形状の上部分の底面から離間して、軸からロック羽根が延びる。
【００１３】
他の実施形態では、本発明のボタン式固定デバイスは、上述のデバイスと同様であって、開口部の壁と係合するための摩擦接触表面を有する細長い軸をさらに含むものである。
【発明を実施するための最良の形態】
【００１４】
ケーブルおよび導線を、定位置に支持しながら保持するために、様々な支持構造体が使用される。支持構造体の例には、梁、管、建物支持材、自動車車体構成要素、計器盤、導管アセンブリなどが含まれる。使用する支持構造体のタイプは、用途に応じて異なる。本明細書で述べるのは、導管アセンブリへの適用であるが、言うまでもなく、以下に述べることは、他の支持構造体にも等しく当てはまることが理解できる。
【００１５】
図９を参照すると、導線およびケーブルを支持する導管アセンブリ２０が示してある。導管アセンブリ２０は、導管部分２６と、導管部分２６に掛着し、またはそこに取り付けられる蓋２７とを含む。一般に、導管アセンブリ２０の導管部分２６は、導管ベース２１と、導管ベース２１に取り付けられた一対の側壁２８および２９とを備えて、Ｕ字形通路として画定される。導管ベース２１は、導管ベース２１の開口穴を通されるネジなどの手段によって、支持パネルまたは建物支持構造体に取り付けられる。図５および７に示す通り、導管ベース２１は、多数の取付け用開口穴２２をさらに含むが、それらには、本発明のボタン式固定デバイス１などの付属部品を、導管アセンブリ２０の内部に取り付けるように、斜角をつけることが好ましい。電気装置の様々な要素間の電気接続を確立するなどのために、ケーブル、導線、管、ホース、導体などの複数の細長い部材が、導管アセンブリ２０に通される。
【００１６】
当技術分野で知られている通り、電気業界では、複数のケーブルまたは物品を束ねるために、ケーブル・タイが長い間使用されてきた。図８に示すものなどの、標準的なケーブル・タイ２５は、一方端にロック・ヘッド２５ａと、ヘッドから延びる細長いストラップ２５ｂとを含む。ストラップの尾部は、ヘッドの開口部に通され、そこで、適切なロック・デバイスが、ケーブル・タイを、物品の束の周囲でロックする。図８を参照すると、ここではケーブルを導管ベース２１に固定することが必要であるが、ケーブル・タイ２５が、ボタン式固定デバイスと併せて使用されている。
【００１７】
さらに、細長い部材、例えば異なった電圧および／または機能のケーブルなどを分離することが必要な場合、仕切部材２３を使用して、図７に示す通り、導管アセンブリ２０の内側を複数通路に仕切る。仕切部材２３は、当技術分野で知られており、プレート、壁、分離器、より小さな導管などを含む。仕切２３は、一方端でブラケットベース１９に取り付けられる平らな表面を含む。ブラケットベース１９を使用して、仕切２３を導管ベース２１に固定することができる。
【００１８】
導線およびケーブルなどの搬送構成要素、ならびに仕切部材２３を導管部材２１に固定するために、改良型固定デバイス１が提供される。本発明のボタン式固定デバイスを、図１〜４に示す。ボタン式固定デバイスは、カップ部分１２を有する脚付グラス構造のハウジングと、軸部分３と、羽根ロック部分２とを含む。カップ部分１２は、円筒状側壁４と、底面５と、開いた上端１３とを含み、それらがカップ部分１２の内部９を画定する。底面５は中に、中央に位置したアクセス開口部１１をさらに有する。アクセス開口部１１は、ネジ回しなどの道具を受け取って、以下に述べる通り、デバイスを４分の１回転して、ボタン式固定デバイス１を導管ベース２１に対してロックするためのものである。側壁４の開いた上端１３は、その周囲に引き込み周縁８を含む。引き込み周縁８は、側壁４の外表面を越えて外向きに延びて、引き込み周縁８と側壁４の間に舌部を作り出す。引き込み周縁８は、僅かに内向きに突き出し、円錐形状をして、以下に述べる通り、仕切壁２３をスナップ式で取り付けることができるように引き込み構成を提供する。本明細書では、カップ１２の形状が、一般に円筒状であると述べているが、当業者には言うまでもなく、カップ部分１２は、円筒形状に限定されず、四角形、楕円形、三角形などとすることができる。
【００１９】
側壁４は、それを通る２対の細長い穴６および７を含む。各対の細長い穴６および７はそれぞれ、正反対に対向する細長い穴６ａ、６ｂと、穴７ａ、７ｂとを含む。細長い穴６および７は、図８に示す通り、ケーブル・タイまたは類似の固定デバイスがそれを通ることができるように設計される。細長い穴６および７の構成によって、１対のケーブル・タイが、障害なくボタン式固定デバイス１を通過することができる。細長い穴６および７は、側壁４の様々な位置に配置することができる。この例では、細長い穴６は、カップ部分１２の上端１３に隣接して配置され、細長い穴７は、底面５に隣接して配置される。図８に示す通り、１対の細長い穴６と７は、９０°偏位する。
【００２０】
さらに、図１〜４に示す通り、ボタン式固定デバイス１は、カップ部分１２に連結される両方の軸３を含む。軸３は、底面５から羽根ロック部分２へと垂直に突き出るが、羽係止部分２も軸３に対して垂直に、一体に連結される。軸３の厚みは、導管ベース２１の開口穴２２の幅とおおよそ等しく、またはそれよりも僅かに小さくて、ボタン式固定デバイス１をひねって、それを定位置にロックする際、軸３が変形もしくは脆弱化せずに、軸が開口穴を通って滑動することができるようになる。軸３の長さは、おおよそ、ボタン式固定デバイス１を使用する支持構造体の厚みであることが好ましく、標準的な導管ベースの場合、軸３の長さは、０．１２７ｃｍ（約０．０５インチ）から０．２５４ｃｍ（約０．１０インチ）、好ましくは０．１７８ｃｍ（０．０７インチ）から０．２２９ｃｍ（約０．０９インチ）、より好ましくは０．１９１ｃｍ（０．０７５インチ）から０．２０３ｃｍ（約０．０８インチ）である。軸３は、図４で示す通り、中空構造であるが、中空構造に限定される訳ではない。軸３の形状は、図１で示す通り、円筒状とすることができる。軸の形状は、図２および１０で示す通り、四角形とすることもできる。当業者には言うまでもなく、軸は、図２および１０で示す通りの四角形、また六角形、八角形などとすることができると同時に、中実構造とすることができる。
【００２１】
図７で示す通り、周縁８の舌部は、仕切壁２３を受けるためのものである。仕切壁２３が有するブラケットベース１９は、開口穴を備えるが、これによって、仕切壁が、引き込み周縁８に重なってスナップすることが可能になる。ブラケットベース１９は、カップ部分１２の側壁４に載って、引き込み周縁８と係合して、仕切壁２３を導管ベース２１に固定する。仕切壁２３のブラケットベース１９は、ボタン式固定デバイス１の引き込み周縁８の周囲を包んで、仕切壁２３が垂直に外れるのを防止する。引き込み周縁８の大きさ、およびカップ部分１２の側壁４の大きさは、仕切壁２３のタイプ、ブラケットベース１９の開口穴の幅、あるいは仕切壁２３の他の取付け手段によって制約を受ける。側壁２４の外径は、ブラケットベース１９の開口穴よりも僅かに大きいものから、おおよそ、導管ベース２１の開口穴２２の寸法であるものまである。引き込み周縁８は、ブラケットベース１９の開口穴よりも僅かに大きいが、仕切壁２３を引き込み周縁８に重ねてスナップすることができなくなるほど大きくはない。
【００２２】
ボタン式固定デバイス１の底面図である図４に示す通り、羽根ロック部分２は、卵型の設置面、または楕円形の断面形状を有するが、卵型形状に限定される訳ではなく、四角形または他の適切な形状とすることができる。一般に、羽根ロック部分２の設置面の幅は、図５および６に示す通り、ベース導管２１の開口穴２２に嵌め合わさることができるよう、充分に小さくなくてはならない。さらに、図２および１０は、羽根ロック部分２のテーパ形構造１１０を示すが、羽根ロック部分は、軸３のいずれの側に向けてもねじれながらテーパ形となる。軸のいずれの側にも延びる羽根ロック部分２の両端部は、螺旋形の構成で軸３の周囲でねじれる。羽根ロック部分２の各端部はそれぞれ、図１および２で示す通り、軸３の周囲で、対向する方向にねじれる。このテーパ形構造１１０は、ボタン式固定デバイス１を４分の１回転回すだけで、ボタン式固定デバイス１を、導管ベース２１の開口穴２２の定位置にロックする。テーパ形構造１１０によって、デバイス１は、軸３を変形することなくロックすることができる。ボタン式固定デバイス１は、カップ部分１２のロック穴１１に、道具を使用することによって定位置にロックされるが、この道具は、ボタン式固定デバイス１に係合してこれを回す。一般に、ボタン式固定デバイス１は、仕切壁２３およびそこに支持されるケーブルを支持し、定位置にロックするためのデバイス１のねじれに耐えるのに充分な強度のある、様々な材料から作ることができる。適切な材料には、ポリカーボネートなどの高分子化合物、およびナイロンなどの合成材料が含まれる。
【００２３】
図２および１０に示すさらなる実施形態は、ボタン式固定デバイス１００であるが、これは、図１のデバイス１と実質的に同様である。ボタン式固定デバイス１００は、カップ部分１２０、軸３０、および羽根ロック部分２０を含む。ボタン式固定デバイス１００は、図１の円形軸３ではなく、四角形軸３０を有する。図２および１０に示す通り、四角形軸３０は、導管開口穴２２の平らな表面と界面を接するための、平らな表面を提供して、デバイスの、導管ベース２１の開口穴２２への摩擦による追加の固定をもたらす。
【００２４】
図１１に示す他の実施形態は、ボタン式固定デバイス２００であるが、これは、図２および１０に示すデバイス１００と実質的に同様である。ボタン式固定デバイス２００は、カップ部分２２０、軸１３０、および羽根ロック部分１２０を含む。軸１３０の形状は、実質的に卵型または楕円形の断面を有して円筒形である。軸１３０は、軸１３０の表面の一部分に、摩擦係合表面１３３を有する。図１〜４、および１０で述べたものなどの、実質的に滑らかな表面を示す、先の実施形態とは異なり、摩擦係合表面１３３は、軸１３０の表面上の段差のある表面であり、導管ベースの開口穴の壁と係合して、デバイスの、開口穴への摩擦による追加の固定をもたらす。
【００２５】
さらに、当業者には言うまでもなく、軸１３０は、円形、四角形、六角形、八角形などの様々な断面形状を有することが可能である。摩擦係合表面１３３は、軸１３０の任意の部分、または表面全体に存在することができる。図１１は、実質的に楕円形の軸１３０の湾曲した表面上に摩擦係合表面１３３を示す。
【００２６】
さらに、摩擦係合表面１３３は、様々な形状および寸法であることができ、軸１３０に沿って変化することができる。図１１は、ねじ山構造などの、実質的に同様な一連の細長い谷と山としての摩擦係合表面１３３を示す。しかし、言うまでもなく、摩擦係合表面１３３の段差のある表面は、バンプ、隆起した対角斜線、無作為の山、およびそれらの組み合わせなどの様々な異なった形状の突起とすることができる。さらに、軸の段差のある表面の寸法および形状は、軸表面にわたって変化することができる。例えば、軸の一部分がバンプを含むことができ、軸の一部分が、細長い山を含むことができる。
【００２７】
羽根ロック部分１２０は、上述の実施形態に類似しており、それが有する設置面は、ベース導管の開口穴に嵌合することができるのに充分小さく、４分の１の回転でベースと相互にロックするのに充分大きい。羽根ロック部分１２０は、図１０のテーパ付構造１１０などの、上述の実施形態の、テーパ付の、対向する螺旋状にねじれる構造ではなく、平らな上面１２２を有する。しかし、言うまでもなく、羽根ロック部分１２０は、本発明の企図する範囲から逸脱することなく、テーパ付構造、段差のある表面、バンプ、粗表面、摩擦係合表面などの、様々な構造を含むことができる。
【００２８】
本発明の特定の構成をここに記述したが、当業者には、本発明の企図する範囲から逸脱することなく、本発明に修正を行うことができることを理解されたい。したがって、本明細書で述べた構成は、制限するのではなく例示的であることを目的としており、本発明の範囲は、本明細書に添付される特許請求の範囲に記載されている。
【図面の簡単な説明】
【００２９】
【図１】円形の軸を有する、本発明のボタン式固定デバイスの側面斜視図である。
【図２】四角形の軸を有する、本発明のボタン式固定デバイスの側面斜視図である。
【図３】ロック穴を示す、図１のボタン式固定デバイスの上面透視図である。
【図４】羽根ベースの設置面を示す、図１のボタン式固定デバイスの底面斜視図である。
【図５】本発明のボタン式固定デバイスを含む、導管ベースの斜視図である。
【図６】導管ベースと係合した、本発明のボタン式固定デバイスの部分側面図である。
【図７】導管ベースを仕切壁に係合させる、図１のボタン式固定デバイスの上面斜視図である。
【図８】様々な構成要素を導管ベースに係合させる、図１のボタン式固定デバイスの上面斜視図である。
【図９】当技術分野で知られている導管アセンブリの斜視図である。
【図１０】四角形の軸を有する、本発明のボタン式固定デバイスの側面斜視図である。
【図１１】軸表面の一部分に、摩擦係合表面を有する、本発明のボタン式固定デバイスの側面斜視図である。
【図１】
2004263859.tif 000003
【図２】
2004263859.tif 000004
【図３】
2004263859.tif 000005
【図４】
2004263859.tif 000006
【図５】
2004263859.tif 000007
【図６】
2004263859.tif 000008
【図７】
2004263859.tif 000009
【図８】
2004263859.tif 000010
【図９】
2004263859.tif 000011
【図１０】
2004263859.tif 000012
【図１１】
2004263859.tif 000013
【外国語明細書】
2004263859.tif 000014
2004263859.tif 000015
2004263859.tif 000016
2004263859.tif 000017
2004263859.tif 000018
2004263859.tif 000019
2004263859.tif 000020
2004263859.tif 000021
2004263859.tif 000022
2004263859.tif 000023
2004263859.tif 000024
2004263859.tif 000025
2004263859.tif 000026
2004263859.tif 000027
2004263859.tif 000028
2004263859.tif 000029
2004263859.tif 000030
2004263859.tif 000031
2004263859.tif 000032
2004263859.tif 000033
2004263859.tif 000034
2004263859.tif 000035
2004263859.tif 000036
2004263859.tif 000037
2004263859.tif 000038
2004263859.tif 000039
2004263859.tif 000040